(57)【特許請求の範囲】
【請求項１】
電子ビームシステムの電子ビームエミッタから生成された電子ビーム用のコンデンサーレンズ装置であって、
‐磁気コンデンサーレンズ磁界を発生させるようになった磁気コンデンサーレンズを含み、前記コンデンサーレンズは、対称軸線を有し、
‐磁気デフレクタ磁界を発生させるようになった磁気デフレクタを含み、
‐前記デフレクタは、前記磁気コンデンサーレンズ磁界と前記磁気デフレクタ磁界の重ね合わせの結果として前記コンデンサーレンズ装置の光軸が前記コンデンサーレンズの前記対称軸線に対して動くことができ、
前記デフレクタは、ｘ方向及び／又はｙ方向の前記エミッタの変位を補償するように構成され、
前記エミッタと前記コンデンサーレンズ装置の間の距離は、約０ｍｍ〜約２５ｍｍであり、
前記コンデンサーレンズ装置の前記デフレクタは、前記エミッタと前記コンデンサーレンズ装置の間の唯一のデフレクタである、コンデンサーレンズ装置。
【請求項２】
前記デフレクタは、磁気偏向コイルを有する磁気ｘ‐ｙデフレクタであり、特に、前記デフレクタは、ｘ方向及びｙ方向の各々について２つの磁気偏向コイルを有する、請求項１記載のコンデンサーレンズ装置。
【請求項３】
前記磁気デフレクタは、トロイド状の形をしたコイルを有する、請求項１記載のコンデンサーレンズ装置。
【請求項４】
前記磁気デフレクタは、鞍形コイルを有する、請求項１記載のコンデンサーレンズ装置。
【請求項５】
前記デフレクタのコイルは、約１２０°の角度を張っている、請求項２記載のコンデンサーレンズ装置。
【請求項６】
電子ビーム光学システムであって、
荷電粒子のビームを発生させる粒子ビームエミッタと、
コンデンサーレンズ装置と、を有し、前記コンデンサーレンズ装置は、
磁気コンデンサーレンズ磁界を発生させるようになった、対称軸線を有する磁気コンデンサーレンズと、
磁気デフレクタ磁界を発生させるようになった磁気デフレクタと、を含み、
前記デフレクタは、前記磁気コンデンサーレンズ磁界と前記磁気デフレクタ磁界の重ね合わせの結果として前記コンデンサーレンズ装置の光軸が前記コンデンサーレンズの前記対称軸線に対して動くことができ、前記デフレクタは、ｘ方向及び／又はｙ方向の前記エミッタの変位を補償するように構成され、前記エミッタと前記コンデンサーレンズ装置の間の距離は、約０ｍｍ〜約２５ｍｍであり、前記コンデンサーレンズ装置の前記デフレクタは、前記エミッタと前記コンデンサーレンズ装置の間の唯一のデフレクタであり、さらに、
前記粒子ビームを試料上に集束させる対物レンズを含む、電子ビーム光学システム。
【請求項７】
前記エミッタは、コールド電界エミッタである、請求項６記載の電子ビーム光学システム。
【請求項８】
前記粒子ビームエミッタと前記コンデンサーレンズ装置の前記コンデンサーレンズとの間の距離は、約０ｍｍ〜約２０ｍｍである、請求項６記載の電子ビーム光学システム。
【請求項９】
前記粒子ビームエミッタと前記コンデンサーレンズ装置の前記コンデンサーレンズとの間の距離は、約５ｍｍ〜約１５ｍｍである、請求項６記載の電子ビーム光学システム。
【請求項１０】
前記コンデンサーレンズ装置の前記デフレクタは、前記磁気コンデンサーレンズ磁界と前記磁気デフレクタ磁界の重ね合わせの結果として前記コンデンサーレンズ装置の光軸が、前記コンデンサーレンズの前記対称軸線から離れて、前記コンデンサーレンズの前記対称軸線に実質的に平行に変位した位置にシフトされる、請求項６記載の電子ビーム光学システム。
【請求項１１】
前記コンデンサーレンズ装置の前記デフレクタは、磁気偏向コイルを有する磁気ｘ‐ｙデフレクタであり、特に、前記デフレクタは、ｘ方向及びｙ方向の各々について２つの磁気偏向コイルを有する、請求項６記載の電子ビーム光学システム。
【請求項１２】
前記デフレクタのコイルは、約１２０°の角度を張っている、請求項１１記載の電子ビーム光学システム。
【請求項１３】
前記粒子ビームエミッタは、前記粒子ビームエミッタの傾きを補償するために機械的に可動になっている、請求項６記載の電子ビーム光学システム。
【請求項１４】
コンデンサーレンズ装置に含まれるコンデンサーレンズを動かす方法であって、
‐対称軸線を有する磁気コンデンサーレンズを用いて第１の磁気レンズ磁界を発生させるステップと、
‐磁気デフレクタを用いて第２の磁界を発生させるステップと、
‐前記デフレクタの前記第２の磁界を前記コンデンサーレンズの前記第１の磁界と重ね合わせて前記コンデンサーレンズ装置の光軸を前記コンデンサーレンズの前記対称軸線に対して動かすことにより、ｘ方向及び／又はｙ方向のエミッタの変位を補償するステップとを含み、
前記エミッタと前記コンデンサーレンズ装置の間の距離は、約０ｍｍ〜約２５ｍｍであり、前記コンデンサーレンズ装置の前記磁気デフレクタは、前記エミッタと前記コンデンサーレンズ装置の間の唯一のデフレクタである、方法。
【請求項１５】
前記第２の磁界を発生させる前記ステップは、前記第２の磁界を磁気ｘ‐ｙデフレクタによって発生させるステップを含む、請求項１４記載の方法。
【請求項１６】
前記磁気デフレクタによって前記第２の磁界を発生させる前記ステップは、前記磁気コンデンサーレンズにより生じた前記第１の磁界の１次導関数に比例した前記第２の磁界を発生させるステップを含む、請求項１４記載の方法。
【請求項１７】
前記コンデンサーレンズの前記第１の磁界と前記デフレクタの前記第２の磁界を重ね合わせるステップは、前記デフレクタを前記コンデンサーレンズ中に配置するステップを含む、請求項１４記載の方法。
【請求項１８】
前記デフレクタの前記第２の磁界を前記コンデンサーレンズの前記第１の磁界と重ね合わせて前記コンデンサーレンズ装置の前記光軸を動かすステップは、前記コンデンサーレンズ装置の光軸を、前記コンデンサーレンズの前記対称軸線から離れて、前記コンデンサーレンズの前記対称軸線に実質的に平行に変位した位置にシフトさせるステップを含む、請求項１４記載の方法。
【発明の詳細な説明】
【技術分野】
【０００１】
本発明の実施形態は、電子ビームシステム及び電子ビームシステム用のコンデンサーレンズ（集光レンズ）装置に関する。本発明の実施形態は、特に、コンデンサーレンズ装置を含む高輝度電子ビームシステム、高輝度電子ビームシステム用のコンデンサーレンズ装置及び高輝度電子ビームシステムのコンデンサーレンズ装置を作動させる方法に関する。
【背景技術】
【０００２】
荷電粒子ビーム装置、例えば電子ビーム装置は、複数の産業分野において多くの機能を有しており、かかる産業分野としては、製造中における半導体デバイスの検査、リソグラフィ用の露光システム、検出装置及び試験システムが挙げられるが、これらには限定されない。
【０００３】
荷電粒子ビーム、例えば電子ビームは、マイクロメートル及びナノメートルスケールプロセス制御、検査又は構造観察に用いられる場合が多く、この場合、荷電粒子を荷電粒子ビーム装置、例えば電子顕微鏡又は電子ビームパターン発生器で発生させて集束させる。荷電粒子ビームは、これらが短波長であることにより例えば光子ビームと比較して優れた空間分解能を提供する。
【０００４】
例えば、走査型電子顕微鏡（ＳＥＭ）が高分解能表面画像化のために多くの用途に関して用いられている。特に、５０ｅＶ〜５ｋｅＶの電子ビームエネルギーを用いる低電圧ＳＥＭがサンプル損傷及びサンプル荷電を回避すべき用途において広く用いられている。電子ビーム計測及び電子ビーム検査は、半導体デバイス製造のためのほんの僅かな利用分野である。
【０００５】
一般に、主として２つの基本的要件がＳＥＭコラム（筒）について考慮されるべきである。第１に、可能な限り最も高い分解能が達成されるべきであり、このことは、好ましくはナノメートル以下の範囲において電子プローブの小さなスポットサイズを意味している。第２に、考えられる限り最も高いプローブ電流が所与のプローブ直径において用いられるべきである。このことから、ＳＥＭ光学系の設計に関する２つの要件が結果として生じる。第１の要件は、高輝度電子源である。第２の要件は、ビームをサンプル上に集束させる低収差対物レンズであり、このことは、高分解能の場合において色収差が低いこと及びサイズが中程度の高電流の場合において球面収差が低いことを意味している。
【発明の概要】
【発明が解決しようとする課題】
【０００６】
上述のことを考慮して、本発明の目的は、高輝度及び小さな実効寸法を提供すると同時に低収差及び電子ビームシステム中の電子ビームの良好な位置合わせ（アライメント）を提供する電子ビームシステム及び電子ビームシステム用の光学系を提供することにある。
【課題を解決するための手段】
【０００７】
上述のことに照らして、独立形式の請求項１記載の電子ビームシステム用コンデンサーレンズ装置、独立形式の請求項６記載の電子ビームシステム及び独立形式の請求項１２記載のコンデンサーレンズを動かす方法が提供される。本発明の別の観点、利点及び特徴は、従属形式の請求項、明細書及び添付の図面から明らかである。
【０００８】
一実施形態によれば、電子ビームシステム用のコンデンサーレンズ装置が提供される。コンデンサーレンズ装置は、磁気コンデンサーレンズ磁界を発生させるようになった磁気コンデンサーレンズを含み、磁気コンデンサーレンズは、対称軸線を有する。さらに、コンデンサーレンズ装置は、磁気デフレクタ磁界を発生させるようになった磁気デフレクタを含む。実施形態としてのコンデンサーレンズ装置の磁気デフレクタは、磁気コンデンサーレンズ磁界と磁気デフレクタ磁界の重ね合わせの結果としてコンデンサーレンズ装置の光軸が磁気コンデンサーレンズの対称軸線に対して動くことができる。
【０００９】
別の実施形態によれば、電子ビームシステムが提供される。電子ビームシステムは、荷電粒子のビームを発生させる粒子ビームエミッタと、コンデンサーレンズ装置と、粒子ビームを試料上に集束させる対物レンズとを含む。一実施形態では、コンデンサーレンズ装置は、磁気コンデンサーレンズ磁界を発生させるようになった磁気コンデンサーレンズを含み、磁気コンデンサーレンズは、対称軸線を有する。さらに、コンデンサーレンズ装置は、磁気デフレクタ磁界を発生させるようになった磁気デフレクタを含む。コンデンサーレンズ装置の磁気デフレクタは、磁気コンデンサーレンズ磁界と磁気デフレクタ磁界の重ね合わせの結果としてコンデンサーレンズ装置の光軸が磁気コンデンサーレンズの対称軸線に対して動くことができる。
【００１０】
別の実施形態によれば、コンデンサーレンズ装置に含まれるコンデンサーレンズを動かす方法が提供される。この方法は、対称軸線を有する磁気コンデンサーレンズを用いて第１の磁界を発生させるステップと、磁気デフレクタを用いて第２の磁界を発生させるステップと、デフレクタの第２の磁界をコンデンサーレンズの第１の磁界と重ね合わせてコンデンサーレンズ装置の光軸をコンデンサーレンズの対称軸線に対して動かすステップとを含む。
【００１１】
実施形態は又、開示した方法を実施するための装置に関し、かかる実施形態は、上述の方法ステップの各々を実施する装置部分を含む。これら方法ステップは、ハードウェアコンポーネント、適当なソフトウェアによりプログラムされたコンピュータ、これら２つの任意の組み合わせ又は任意他の仕方で実施可能である。さらに、本発明の実施形態は又、上述の装置の作動方法に関する。これは、装置の全ての機能を実行する方法ステップを含む。
【００１２】
本発明の上述の特徴を細部にわたって理解することができるように上記において概要説明した本発明の具体的な説明が実施形態を参照して行う。添付の図面は、本発明の実施形態に関しており、これらについて次のように簡単に説明する。
【図面の簡単な説明】
【００１３】
【図１ａ】技術の現状としての第１のビーム経路を備えた熱電界エミッタ（ＴＦＥ）を有する電子ビームシステムを示す図である。
【図１ｂ】技術の現状としての第２のビーム経路を備えたコールド（冷）電界エミッタ（ＣＦＥ）を有する電子ビームシステムを示す図である。
【図２】技術の現状に従ってスポットサイズとＴＦＥ及びＣＦＥのそれぞれのプローブ電流の関係を示すグラフ図である。
【図３】本明細書において説明する実施形態としてのコンデンサーレンズ装置の略図である。
【図４】本明細書において説明する実施形態としてのコンデンサーレンズ装置の略図である。
【図５】本明細書において説明する実施形態としてのコンデンサーレンズ装置のデフレクタの概略平面図である。
【図６】本明細書において説明する実施形態としてのコンデンサーレンズ装置の略図である。
【図７】本明細書において説明する実施形態としてのコンデンサーレンズ装置を有する電子ビームシステムの略図である。
【図８】本明細書において説明する実施形態としてのコンデンサーレンズを動かす方法の流れ図である。
【図９】本明細書において説明する実施形態としてのコンデンサーレンズを動かす方法の流れ図である。
【発明を実施するための形態】
【００１４】
次に、本発明の種々の実施形態を詳細に参照し、これら実施形態の１つ又は２つ以上の実施例が図示されている。図面を参照して行われる以下の説明の範囲内において、同一の参照符号は、同一のコンポーネントを示している。全般的に、個々の実施形態に関して相違点のみを説明する。各実施例は、本発明の説明のために提供されており、本発明を限定するものではない。例えば、一実施形態の一部として図示され又は説明される特徴を他の実施形態に又はこれと関連して使用することができ、それにより更に別の実施形態が得られる。本発明は、かかる改造例及び変形例を含むものである。
【００１５】
さらに、以下の説明において、「磁気デフレクタ」は、磁界を発生させることができる装置として理解されるのが良い。特に、デフレクタによって発生した磁界は、電子ビームのビーム経路に影響を及ぼすようになっているのが良い。本明細書において説明する実施形態は、１つ又は２つ以上のコイルを含む磁気デフレクタを提供し、かかる磁気デフレクタは、ｘ方向及び／又はｙ方向に磁界を発生させることができる。
【００１６】
本明細書において説明する幾つかの実施形態によれば、磁界の「重ね合わせ」は、少なくとも２つの磁界のオーバーラップとして理解されるべきである。少なくとも２つの磁界のオーバーラップは、それぞれの磁界の最大磁界強度の少なくとも約５％〜約５０％、より代表的には約１０％〜３０％、更により代表的には約１０％〜２０％を有する磁界のオーバーラップとして定義できる。幾つかの実施形態によれば、重ね合わされた磁界は、磁界が互いに影響し合うオーバーラップ領域を有するのが良い。例えば、第１の磁界を発生させることができ、そして必要に応じてこれに第２の磁界の影響を及ぼすことができる。少なくとも２つの磁界の重ね合わせの結果として、磁界強度の増大、磁界分布のシフト、磁界分布のディストーション等が生じる場合がある。さらに、重ね合わせ用磁界を発生させるようになった又はそのように構成された装置を必要に応じて制御して駆動するようになっているのが良い。例えば、この装置の磁界強度は、重ね合わされた磁界相互間の所望の相互作用を達成するよう調節できる。
【００１７】
さらに、本明細書において説明する実施形態の幾つかの観点によれば、装置の「対称軸線」は、装置の幾何学的対称軸線であるのが良い。幾つかの実施形態によれば、装置又は光学システムの「光軸」は、ビームがシステムを通って伝搬する経路を定める想像上の線である。例えば、電子ビーム光学素子で構成されたシステムでは、光軸は、光学素子の中心を通るのが良い。光軸は、システムの機械的又は幾何学的対称軸線と一致しているのが良いが、必ずしも以下に詳細に説明するようにそうでなければならないということはない。
【００１８】
幾つかの実施形態によれば、コンデンサーレンズ装置は、コンデンサーレンズ装置中に可動コンデンサーレンズ磁界を発生させることができる。コンデンサーレンズ磁界を別の磁界の重ね合わせによってコンデンサーレンズの対称軸線に対して動かすことができる。このようにすると、コンデンサーレンズ装置の光軸は、コンデンサーレンズの対称軸線に対して動かされ、コンデンサーレンズと電子ビームシステムの残りの光学素子との良好な位置合わせを達成することができる。かくして、コンデンサーレンズ装置は、本明細書において説明する実施形態によれば、光学コンポーネントの良好な位置合わせを可能にし、それと同時に、ビームの安定した放出、高い輝度及び小さなスポットサイズを提供することができる。
【００１９】
技術の現状において、高輝度ＴＦＥ（熱電界エミッタ）源及び電子ビームシステム及び減速電界対物レンズのコラム内に高いビームエネルギーを備えた電子光学設計例が主として利用される。減速電界対物レンズは、色収差と球面収差の両方について低い収差係数を発生させる。加うるに、ＳＥＭコラム内の高いビームエネルギーが高プローブ電流システムの電子‐電子相互作用を減少させ、この高プローブ電流システムでは、この作用効果は、追加の性能上の制限となる。図１ａは、ＴＦＥ１１０を含むと共に第１のビーム経路を備えた電子光学システム１００を示している。かかる公知の光学システムは、システム縮小度を変化させることによりスポットサイズ又はプローブ電流の調節を可能にするコンデンサーレンズ１２０を更に含む場合がある。さらに、電子光学システム１００は、対物レンズ１３０並びに電子ビーム光学系の別の素子、例えばアパーチュア又は開口１４０を含む。コンデンサーレンズ１２０及び対物レンズ１３０は、当該技術分野において知られている電子ビームシステム１００の磁気レンズとして例示的に示されている。ビーム１５０がＴＦＥ１１０から放出され、このビームは、光学素子１２０，１３０，１４０を通過し、それにより付形されると共に集束され、それにより所望のスポットサイズ及びランディングエネルギーがサンプル１６０上に提供される。
【００２０】
部分的に、しかも最近において、ＣＦＥ（コールド電界エミッタ）カソードを備えた光学コラムも又用いられている。このカソード型は、ＴＦＥと比較して２つの利点を有し、即ち、ＣＦＥは、ＴＦＥと比較して低いエネルギー幅を有し、その結果、色収差が少なくなり（例えば、０．６ｅＶに代えて０．３ｅＶ）、又、ＣＦＥは、ＴＦＥ源のほぼ１０倍高い輝度を提供する。ＣＦＥ及び第２のビーム経路を備えた公知の電子ビームシステム１０５の一例が図１ｂに示されている。妥当な技術的境界条件（即ち、妥当な作業距離、ビームを心出しする位置合わせ・補正システム、弁、ブランカ等を含む）を有するＣＦＥ電子ビームシステムにより光ビーム経路を発生させるためには１つのレンズ（例えば、対物レンズのみ）を備えた光学システムは、有利ではない。というのは、この光学システムは、大きすぎるシステム縮小度を送り出すからである。その結果、コンデンサーレンズ１２５と、対物レンズ１３５とから成っていて、名前付きアプリケーションに応じて全体として１０〜１の縮小度を送り出す少なくとも２枚レンズシステムが必要である。基本ビーム経路１５５が図１ｂに示されており、図１ｂは又、例示的にビームブースタ１７０を示している。本明細書において説明するビームブースタは、ビームを高い電位に加速したりプローブに当たる前にビームを低い電位に減速したりする装置として理解されるのが良い。高い電位は、低い電位の例示として１０倍であるものとして定義できる。一実施形態では、高い電位は、低い電位の３０倍である。
【００２１】
一般に、ＣＦＥ源を用いるには、所要の放出安定性を達成するための複雑精巧な動作方法が必要である。これは、特に、工業用途においてこれらの使用を制限する。しかしながら、従来、主として、ＣＦＥ具体化を上述の用途内においてより魅力的なＳＥＭにする技術的真空改良及び新規な動作方法によってこれら制限を解決できた。ＣＦＥの利点としては、特に減速電界光学系又は他の低収差対物レンズ（単一磁極片レンズに似ている）が向上した絶対分解能をＴＦＥコラムに与えることができると共に高いプローブ電流の最適スポットに隣接した範囲の高いプローブ電流を与えることができる可能性が挙げられる。図２の図表又はグラフ図２００は、ＴＦＥ源及びＣＦＥ源のスポットサイズ挙動の比較を示している。
【００２２】
図表２００で理解できるように、ＣＦＥカソードは、ＴＥＦカソードよりも高い輝度を提供すると共に小さな虚光源サイズ（例えば、２０ｎｍに対して５ｎｍ）を提供する。ＣＦＥカソードの有益な作用効果にもかかわらず、これら特徴には幾つかの技術上の欠点がある。優れた輝度を利用するため、全体的システム縮小度は、ＴＦＥ光学システムの場合よりも小さくなければならない。しかしながら、これにより、電子ビームシステムに新たな最適化の基準が必要になる。従来型光学系では、主として、対物レンズの収差最適化及び心出しは、適切である（コンデンサーレンズの影響は、縮小され、技術の現状において重要な役割を果たしていない）。
【００２３】
しかしながら、これとは対照的に、低縮小システムでは、コンデンサーレンズの影響は、ますます重要になっている。基本的に、対物レンズに必要なあらゆる設計上の最適化（低色及び球面収差、極めて良好な心出し及び位置合わせ）も又、ＣＦＥ源を備えた電子ビームシステムのコンデンサーレンズについて満たされるべきである。
【００２４】
かくして、判明したこととして、本明細書において説明する実施形態としてのコンデンサーレンズ装置に関する以下の３つの要望を考慮することが有利であるように思われ、かかる３つの要件とは、収差を低く保つための短い焦点距離の実現、好ましくは磁気レンズの採用（と言うのは、磁気レンズは、静電レンズと比較して優れた性能を有するからである）及びコマ収差及び軸外し収差を回避するためにＣＦＥカソードから放出される良好に心出しされたビームの利用である。特に、良好に心出しされたビームは、達成するのが困難である。というのは、ガン（電子銃）は、コンデンサーレンズの幾何学的中心を通る軸線と必ずしも一致しない方向に電子ビームを放出するからである。さらに、ＣＦＥ先端部とコンデンサーレンズとの間の距離が短いので、ビーム位置合わせデフレクタをＣＦＥ先端部とコンデンサーレンズとの間に配置することが容易にはできない。
【００２５】
良好に心出しされたビームの要件に関する一解決手段は、コンデンサーレンズに対する先端部の機械的位置合わせを行うことである。さらに、コンデンサーレンズを相対的に先端部に対して機械的に位置合わせすることを実施しても良い。しかしながら、ＣＦＥ源又はコンデンサーレンズの機械的位置合わせは、達成するのが困難である。というのは、ＣＦＥガン領域には厳しい真空要件が必要だからである。
【００２６】
本明細書において説明する実施形態によれば、この問題を解決するために可動コンデンサーレンズが提供される。本明細書において説明する実施形態としてのコンデンサーレンズ装置は、コンデンサーレンズ内に配置され、これに近接して配置され又はこの直前に配置された偏向システムを使用することによってコンデンサーレンズ磁界をｘ方向及び／又はｙ方向に動かす。本明細書において説明する実施形態としてコンデンサーレンズ装置では、磁気デフレクタが用いられる。
【００２７】
可動コンデンサーレンズ（ＭＯＣＯＬ）装置をどのように実現するかについての一例が図３に示されている。図３は、例示的に約１０-11〜１０-12トルの範囲の所要先端部真空を達成するためのＣＦＥガン３１０及び差動ポンプ輸送区分（図示せず）を備えた真空システムを含む部分的に示された電子ビームシステム３００のコンデンサーレンズ装置３２０を示している。さらに、ビームブースタ３４０の一部が示されている。幾つかの実施形態によれば、コンデンサーレンズ装置３２０は、磁気コンデンサーレンズ３２１及び磁気デフレクタ３２２を含む。軸線３５０は、コンデンサーレンズ３２１の対称軸線を示している。
【００２８】
本明細書において説明する実施形態としての装置では、ビームをガン装置の機械的許容度の範囲内の方向にビームを放出することができ、即ち、ビームをビームエミッタ軸線に沿って放出することができる。通常、ビームエミッタ軸線に沿って進むビームは、コンデンサーレンズの対称軸線と交わることはないであろう。図４は、電子ビームシステム（部分的に示された電子ビームシステム）４００に含まれた本明細書において説明する実施形態としてのコンデンサーレンズ装置４２０を示している。コンデンサーレンズ装置４２０は、コンデンサーレンズ４２１及び磁気デフレクタ４２２を含む。ビーム４７０がエミッタ４１０からビームエミッタ軸線４６０に沿って放出される。コンデンサーレンズ装置４２０のコンデンサーレンズ４２１は、対称軸線４５０を有している。
【００２９】
上述したように、コンデンサーレンズ４２１の対称軸線をコンデンサーレンズ４２１の幾何学的形状に従って定義することができる。図４に示されている実施例では、コンデンサーレンズ４２１の対称軸線４５０は、磁気コンデンサーレンズの幾何学的中心のところでｚ方向に沿って配置されるのが良い。
【００３０】
公知のコンデンサーレンズでは、電子ビームシステムの光軸は、コンデンサーレンズの対称軸線によって定められる。しかしながら、光軸がビームエミッタ軸線と一致していない場合、この結果として、ビームの位置合わせ不良が生じ、かくして電子ビームシステムの動作上の品質が不良になる。
【００３１】
図４で理解できるように、コンデンサーレンズ４２１の対称軸線４５０と電子ビームシステム４００のビームエミッタ軸線４６０は、互いに一致しておらず、互いに対してコンデンサーレンズ４２１の対称軸線４５０又はコンデンサーレンズ装置４２０のビームエミッタ軸線４６０に垂直な平面内に距離４５５が存在する。
【００３２】
一般に、コンデンサーレンズの対称軸線とコンデンサーレンズ装置のビームエミッタ軸線との間の距離は、位置合わせ不良状態のエミッタ、ビームのオフセンタ放出等によって生じる場合がある。例えば、エミッタモジュールセットアップの機械的許容度又はガンチャンバとコンデンサーレンズの両方の機械的許容度によってもミスマッチが生じる場合がある。
【００３３】
幾つかの実施形態によれば、ビームがコンデンサーレンズの対称軸線と交わるかどうか、即ちビームエミッタ軸線がコンデンサーレンズの対称軸線と一致するかどうかを位置合わせチェック（デフォーカス、励振ウォブル）によって検査することができる。位置合わせチェックを可能にする素子及びデバイスは、本明細書において説明する実施形態としてのコンデンサーレンズ装置又はビーム光学システムの一部であるのが良い。本明細書において説明する実施形態としてのコンデンサーレンズ装置では、ビームがコンデンサーレンズの対称軸線と交わらない場合にデフレクタを動作状態にする。本明細書において説明する実施形態としてのコンデンサーレンズ装置に含まれるデフレクタは、事実上、コンデンサーレンズをｘ方向及び／又はｙ方向に動かすことができる（他方、対称軸線並びに光軸は、実質的にｚ軸方向に延長されている）。
【００３４】
本明細書において説明する幾つかの実施形態によれば、コンデンサーレンズ装置４２０のデフレクタ４２２は、磁界を発生させ、この磁界は、コンデンサーレンズ４２１の磁界とオーバーラップする。コンデンサーレンズ４２１の磁界とデフレクタ４２２の磁界の重ね合わせによって、コンデンサーレンズ装置の光軸は、コンデンサーレンズの対称軸線に対して動くことができる。かくして、コンデンサーレンズ装置の光軸をビームエミッタ軸線に応じて配置することができ、コンデンサーレンズ磁界の軸線は、ビームの状況に適合される。幾つかの実施形態によれば、コンデンサーレンズ装置のデフレクタの動作前においてはコンデンサーレンズの対称軸線と一致しているコンデンサーレンズ装置の光軸は、デフレクタの動作中、コンデンサーの対称軸線からずれて離される。換言すると、コンデンサーレンズ装置の光軸は、磁気デフレクタがデフレクタ磁界を発生させたときにコンデンサーレンズの対称軸線からビームエミッタ軸線にずらされる。
【００３５】
幾つかの実施形態によれば、ビームがコンデンサーレンズに入る前にコンデンサーレンズ装置の磁気デフレクタ４２２の偏向を除き、それ以上の偏向は不要であると言える。例えば、本明細書において説明する実施形態としてのコンデンサーレンズ装置では予備偏向は不要である。
【００３６】
幾つかの実施形態では、ビームは、コンデンサーレンズの対称軸線からずれて離されるだけでなく、コンデンサーレンズの対称軸線に対して傾けられる場合があり、即ち、ビームは、ビームエミッタ軸線とコンデンサーレンズの対称軸線との間に或る特定の角度をもたらす場合がある。本明細書において説明する他の実施形態と組み合わせ可能な幾つかの実施形態によれば、以下に詳細に説明するようにビームの傾きに影響を及ぼす手段が提供されるのが良い。
【００３７】
本明細書において説明する実施形態としてのコンデンサーレンズ装置の磁気デフレクタは、コンデンサーレンズ中に配置されるのが良い。本明細書において説明する他の実施形態によれば、コンデンサーレンズ装置の磁気デフレクタは、コンデンサーレンズの手前に、例えばエミッタとコンデンサーレンズとの間に配置されるのが良い。エミッタとコンデンサーレンズ装置との間の距離は、代表的には、約０ｍｍ〜約２５ｍｍ、より代表的には、約０ｍｍ〜約２０ｍｍ、更により代表的には約５ｍｍ〜約１５ｍｍであるのが良い。
【００３８】
上述したように、特定の設計上の検討がＣＦＥを備えた電子ビームシステムについて必要な場合がある。具体的に言えば、コンデンサーレンズを設計する際、取り組み甲斐のある課題は、収差を低く保つための短い焦点距離及びコマ収差及び軸外し収差を回避するための良好に心出しされたビームである。本明細書において説明する実施形態としてのコンデンサーレンズ装置では、設計上の問題、例えばもし存在するとしてエミッタとコンデンサーレンズ装置との間の狭い空間にもかかわらず、高い輝度及び小さなスポットサイズを提供しながら上述の要件を満たすことが可能である。
【００３９】
本明細書において説明する実施形態によれば、コンデンサーレンズ装置は、磁気デフレクタ磁界を発生させる磁気デフレクタを含む。例示的に図５で理解できるように、デフレクタは、導体ループを含む磁気コイル５１０，５２０，５３０，５４０を備えた磁気デフレクタ５００である。図５に示されているデフレクタの実施例では、第１のリングに沿って２つのコイル５１０，５２０が位置決めされ、２つのコイル５３０，５４０が第１のリングと例示的に同心である第２のリングに沿って位置決めされている。４つのコイルは、リングの中心から見て、第１のリング上に位置決めされた全てのコイル５１０，５２０が第２のリング上に位置決めされた２つのコイル５３０，５４０とオーバーラップする仕方で位置決めされている。設計によってコイルの磁界を付形することができ、例えば、寄生ヘクサポール磁界を例えば或る特定の範囲をカバーするコイルを用いることによって回避することができる。コイル５１０，５２０，５３０，５４０は、単一コイルの張る角度が代表的には約９０°〜１５０°、より代表的には約１００°〜１４０°、更により代表的には約１１０°〜１３０°であるように設計されている。一実施形態では、コイルの張る角度は、約１２０°である。
【００４０】
幾つかの実施形態によれば、コイル５１０〜５４０のうちの２つのコイル（例えば、コイル５１０，５２０）は、コンデンサーレンズ磁界にｘ方向において影響を及ぼすようになっているのが良く、他方、コイル５１０〜５４０のうちの他の２つのコイル（例えば、コイル５３０，５４０）は、コンデンサーレンズ磁界にｙ方向において影響を及ぼすようになっているのが良い。
【００４１】
本明細書において説明する実施形態としてのコンデンサーレンズ装置では、コンデンサーレンズ装置の光軸は、コンデンサーレンズの対称軸線からコンデンサーレンズの対称軸線に実質的に平行に変位された位置にずれて遠ざけられるのが良い。かくして、コンデンサーレンズ装置の光軸を可動であると説明することができる。幾つかの実施形態によれば、コンデンサーレンズ装置の光軸は、ビームが特にコンデンサーレンズの対称軸線に対してエミッタから進むビームエミッタ軸線にずらされると説明できる。
【００４２】
本明細書において説明する他の実施形態と組み合わせ可能な幾つかの実施形態によれば、コンデンサーレンズ装置のデフレクタのコイルは、トロイド状の形又は少なくとも部分的にトロイド状の形を有するのが良い。本明細書において説明する更に別の実施形態によれば、コンデンサーレンズ装置のデフレクタのコイルは、鞍形コイルであるのが良い。デフレクタは、ビームエミッタ軸線に実質的に直交する磁界を発生させることができる。さらに、コンデンサーレンズ装置のデフレクタの磁界の分布状態は、コンデンサーレンズの磁界の１次導関数に比例するのが良い。かくして、デフレクタの磁界を迅速に変化させることによって生じる渦電流をなくすことができる。
【００４３】
本明細書において説明する実施形態としてのコンデンサーレンズ装置のデフレクタでは、コサインコイルがコンデンサーレンズシステムのデフレクタに用いられる場合、デフレクタによって生じる収差を減少させることができる。
【００４４】
図６は、本明細書において説明する幾つかの実施形態としてのコンデンサーレンズ装置６００の略図である。コンデンサーレンズ装置６００は、磁気コンデンサーレンズ６１０及びコイル６２０，６３０，６４０，６５０を含む磁気デフレクタを有する。コイル６２０〜６５０は、上述したコイル、例えば、図５を参照して説明したコイルであるのが良い。さらに、ｚ方向におけるコンデンサーレンズ６２０の幾何学的軸線６６０が示されている。コイル６２０〜６５０は各々、或る特定の角度、例えば１２０°の角度を張るのが良い。図６に例示的に示されている実施形態では、コンデンサーレンズ装置の光軸をｘ方向６７０に変位させるために２つのコイルが設けられ、コンデンサーレンズ装置の光軸をｙ方向６８０に変位させるために別の２つのコイルが設けられている。
【００４５】
図７は、本明細書において説明する実施形態としての電子ビーム光学システム７００を示している。電子ビーム光学システム７００は、電子ビーム７１５を放出するビームエミッタ７１０を含むのが良い。電子ビーム光学システム７００は、図３〜図６を参照して例示的に説明したコンデンサーレンズ７２１及びデフレクタ７２２を含むコンデンサーレンズ装置７２０を有するのが良い。幾つかの実施形態によれば、エミッタ７１０から放出されたビーム７１５は、コンデンサーレンズ７２１の対称軸線７２５とは位置合わせされない。かくして、コンデンサーレンズ７２１の磁界をコンデンサーレンズ７２１の磁界とデフレクタ７２２の磁界の重ね合わせによって動かすことができる。その結果、コンデンサーレンズ装置７００の光軸７３０は、コンデンサーレンズ７２１の対称軸線７２５に対して変位する。コンデンサーレンズ７２１のこの影響は、かくして、ビームエミッタから放出されたビームのビーム経路に適合される。コンデンサーレンズ装置の光軸を動かすことによって、コンデンサーレンズは、もはやコンデンサーレンズ７２１の対称軸線７２５に対してではなく、光軸７３０のところで電子ビーム７１５に対して最善の影響を及ぼす。
【００４６】
幾つかの実施形態によれば、電子ビーム光学システム７００は、対物レンズ７４０、ビームアパーチュア、ビームブースタ及び良好な概観を提供するために図７には示されていない別のビーム光学素子を更に含むのが良い。ビーム光学系は、電子ビーム７１５をサンプル７５０上に集束し、それにより安定すると共に確実な動作を提供するようになっているのが良い。
【００４７】
本明細書において説明する他の実施形態と組み合わせ可能な幾つかの実施形態によれば、本明細書において説明するエミッタは、ＣＦＥであるのが良い。電子ビーム光学システムでは、コンデンサーレンズ装置の磁気デフレクタは、粒子ビームの下流側の方向に見てコンデンサーレンズ中又はこの手前に位置する。本明細書において説明する幾つかの実施形態によれば、電子ビームシステムのエミッタとコンデンサーレンズ装置との間の距離は、代表的には０ｍｍ〜２０ｍｍであるのが良い。距離が０ｍｍであることは、エミッタ先端部が本明細書において説明した実施形態としてのコンデンサーレンズ装置又は実際にはコンデンサーレンズ磁界内に沈んでいることを意味すると言える。
【００４８】
電子ビームシステムは、本明細書において説明したように、可動コンデンサーレンズが電子ビームと位置合わせされているかどうかを突き止めるための位置合わせチェックを行う素子を更に含むのが良い。コンデンサーレンズの傾斜侵入は、電子ビームシステムにおける別の問題であると言える。しかしながら、幾つかの場合、これは、許容可能な範囲内にある場合がある。これが問題ではない場合、ｘ方向及びｙ方向におけるガン又はエミッタの機械的傾動をそれぞれの傾き補償素子によって実施することができる。傾き補償素子は、エミッタのこの位置に影響を及ぼすことができ、かくして、コンデンサーレンズに入るビームの傾きに対して影響を及ぼすことができる。これは、コンデンサーレンズの対称軸線とビームエミッタ軸線との間に存在する角度に影響を及ぼすことができ、これを減少させることができるということを意味すると言える。幾つかの実施形態では、傾斜角度を実質的にゼロにしてビームがコンデンサーレンズの対称軸線に実質的に平行に放出されるようにすることができる。傾き補償後、コンデンサーレンズを上述したように再び動かしてビームの並進を補償しても良い。幾つかの実施形態によれば、このプロセスを繰り返し実施し、ついには、コンデンサーレンズ中におけるビームの極めて良好な位置合わせ（軸上及び傾きに関し）が達成されるようにすることができる。
【００４９】
本明細書において説明する別の実施形態によれば、コンデンサーレンズ装置に含まれるコンデンサーレンズを動かす方法が提供される。コンデンサーレンズを動かすには、コンデンサーレンズ装置の光軸を動かしてこれを定位置に平行であるようにし、その後コンデンサーレンズを動かすのが良い。一観点によれば、コンデンサーレンズを動かすには、コンデンサーレンズ磁界を動かしてコンデンサーレンズ装置の光軸がビームエミッタ軸線と位置合わせされるようにするのが良い。コンデンサーレンズ装置は、上述したコンデンサーレンズ装置であるのが良い。
【００５０】
図８は、本明細書において説明する方法の流れ図８００の実施例を示している。ブロック８１０では、コンデンサーレンズによって第１の磁界を発生させる。本明細書において説明する実施形態によれば、コンデンサーレンズは、コンデンサーレンズの幾何学的形状で決まるのが良い対称軸線を有するのが良い。ブロック８２０では、磁気デフレクタを用いて第２の磁界を発生させる。本明細書において説明する幾つかの実施形態によれば、第２の磁界をｘ‐ｙデフレクタにより発生させるのが良く、ｘ‐ｙデフレクタは、コンデンサーレンズ磁界をｘ方向並びにｙ方向に動かすようになっている。方法８００は、ブロック８３０において、デフレクタの第２の磁界とコンデンサーレンズの第１の磁界を重ね合わせてコンデンサーレンズ装置の光軸をコンデンサーレンズの対称軸線に対して動かすステップを更に含む。幾つかの実施形態によれば、コンデンサーレンズをこのコンデンサーレンズがエミッタから放出されるビームと位置合わせされるまで動かすのが良い。これは、ビームに対して最善且つ所望の影響を及ぼすコンデンサーレンズ磁界の配置場所をビームに向かって動かすということを意味すると言える。このように、光軸をコンデンサーレンズの対称軸線から変位した状態で進むビームまで動かすことができ、その後光軸を２つの磁界の重ね合わせによって動かす。
【００５１】
図９の流れ図は、本明細書において説明した方法の一観点を示している。幾つかの実施形態によれば、ブロック９１０，９２０，９３０は、実質的に図８を参照して説明したブロック８１０，８２０，８３０に一致するのが良い。図９の流れ図９００で示されている方法は、ブロック９２５を更に含む。ブロック９２５では、磁気デフレクタによって生じた第２の磁界は、磁気コンデンサーレンズによって生じた第１の磁界の１次導関数に比例する。幾つかの実施形態では、デフレクタは、上述の条件を満足させるよう制御されるのが良い。
【００５２】
幾つかの実施形態によれば、この方法は、ビームがコンデンサーレンズ装置の動かされた光軸に向かって進むまでコンデンサーレンズとビームの位置合わせを検査するステップを更に含むのが良い。これは、位置合わせを検査するようになった制御ループ及びそれぞれの素子によって実施されるのが良い。幾つかの実施形態では、エミッタを機械的に傾動させることによってエミッタの傾きに影響を及ぼした後に位置合わせチェックを実施するのが良い。
【００５３】
上記の内容は本発明の実施形態に関するが、本発明の他の実施形態及び別の実施形態を本発明の基本的な範囲から逸脱することなく案出可能であり、本発明の範囲は、次の添付の特許請求の範囲の記載に基づいて定められる。
【符号の説明】
【００５４】
１００  電子光学システム
１０５  電子ビームシステム
１１０  ＴＦＥ（熱電界エミッタ）
１２０  コンデンサーレンズ
１２５  コンデンサーレンズ
１３０  光学素子
１３５  コンデンサーレンズ
１４０  光学素子
１５０  ビーム
１５５  基本ビーム経路
１６０  サンプル
１７０  ビームブースタ
２００  グラフ図
３００  電子ビームシステム
３２１  磁気コンデンサーレンズ
３２２  磁気デフレクタ
３５０  軸線
４００  電子ビームシステム
４２１  コンデンサーレンズ
４２２  磁気デフレクタ
４５０  対称軸線
４５５  距離
４６０  ビームエミッタ軸線
５００  磁気デフレクタ
５１０  磁気コイル
５２０  磁気コイル
５３０  磁気コイル
５４０  磁気コイル
６００  コンデンサーレンズ装置
６１０  磁気コンデンサーレンズ
６２０  コイル
６２０  コイル
６２０  コイル
６５０  コイル
６６０  幾何学的軸線
６７０  ｘ方向
６８０  ｙ方向
７００  光学システム
７１０  ビームエミッタ
７２２  デフレクタ
７２５  対称軸線
７３０  光軸
７４０  対物レンズ
７５０  サンプル
８００  流れ図
８１０  ブロック
８１０  ブロック
８１０  ブロック
９１０  ブロック
９２０  ブロック
９２５  ブロック
９３０  ブロック
【図１ａ】
0005779614.tif 000002
【図１ｂ】
0005779614.tif 000003
【図３】
0005779614.tif 000004
【図４】
0005779614.tif 000005
【図５】
0005779614.tif 000006
【図６】
0005779614.tif 000007
【図７】
0005779614.tif 000008
【図８】
0005779614.tif 000009
【図９】
0005779614.tif 000010
【図２】
0005779614.tif 000011